(57)【要約】      （修正有）【課題】ヒゲ状の型抜き屑の発生を防止し、箱内に収納した製品にヒゲ状屑が紛れ込むことのない段ボール箱を提供する。【解決手段】段ボール箱１は、内容物を収納する箱本体部の上方に上蓋２が箱本体部と連続一体に形成され、上蓋には内フラップと外フラップ２２とが形成されている。前記内フラップは、上辺２１ａと該上辺２１ａの両端から連続する側辺２１ｂとによって囲まれている。前記段ボール箱１は、上蓋２の内フラップ２１の内フラップ側辺２１ｂが段ボールの波形状中芯の山部分と谷部分を斜め直線状に内フラップ上辺２１ａに至るまで横断して型抜きされている。中芯が縦方向に型抜きされないので内フラップ側辺２１ｂにヒゲ状屑は発生しない。【選択図】図１
0003193696.tif 000002
【実用新案登録請求の範囲】
【請求項１】
表面ライナーと裏面ライナーとの間に波形状中芯が配設された段ボール製であって、
内容物を収納する箱本体部の上方に上蓋が、箱本体部の下方に下蓋が、それぞれ箱本体部と連続一体に形成され、
前記上蓋は、内フラップと外フラップとからなり、
前記内フラップは、内フラップ上辺と、該内フラップ上辺の両端から連続する内フラップ側辺とによって囲まれ、
前記内フラップ側辺は、その全域或いは大部分の域が前記波形状中芯の山部分と谷部分を横断する曲線、傾斜線又は曲線と傾斜線の組合せによって構成される連続線として形成されることを特徴とする段ボール箱。
【請求項２】
前記内フラップを折り込んだ際に、内フラップ側辺先端部が箱本体部内面に接することを特徴とする請求項１記載の段ボール箱。
【請求項３】
前記内側フラップ側辺先端部の長さが１〜２ｃｍであることを特徴とする請求項２記載の段ボール箱。
【請求項４】
前記連続線が、長さＬ／幅Ｗの比率が５〜１０の湾曲線であることを特徴とする請求項２又は請求項３記載の段ボール箱。
【考案の詳細な説明】
【技術分野】
【０００１】
本考案は、主として包装に使用する段ボール箱に関する。
【背景技術】
【０００２】
製品の包装、輸送、保管に使用される段ボール箱としては直方体状の箱が一般的である。
図７は、従来の一般的段ボール箱の上蓋開蓋状態を示した説明図である。段ボール箱１００は、内容物を収納する箱本体部の上方に上蓋２００が、箱本体部の下方に下蓋（図示せず）が、それぞれ箱本体部と連続一体に形成されている。そして、前記上蓋２００は、一対の内フラップ２０１と一対の外フラップ２０２とからなり、該内フラップ２０１は、上辺２０１ａと該上辺２０１ａの両端から連続する側辺２０１ｂとによって囲まれている。
【０００３】
図８は、図７の段ボール箱のＹ部拡大説明図であり、図９は、ヒゲ状屑の発生原理図を示した説明図である。段ボールは、図９（ａ）に示すように、表面ライナーＦと裏面ライナーＲとの間に波形状の中芯Ｃを配設した構造をしており、前記内フラップ上辺２０１ａの端面には中芯Ｃが波形状に現れ、内フラップ側辺２０１ｂの端面には中芯Ｃが直線状に現れる。そして、前記内フラップ側辺２０１ｂには、図８に示すような、細いヒゲ状屑Ｈが付着していることがあり、内フラップ側辺２０１ｂにヒゲ状屑Ｈが付着していると、このヒゲ状屑Ｈが段ボール箱１００内の製品に紛れ込んでしまうという問題があった。
【０００４】
この問題を解消するため、特許文献１及び特許文献２に記載されているように、段ボールシートの型抜きの際に前記ヒゲ状屑Ｈを削り落とすことができる型抜き刃或いは型抜き装置に関する発明がされている。
しかし、このような型抜き刃や型抜き装置は高価なものであり、該型抜き刃や型抜き装置を使用して製造した段ボール箱は価格が高くなってしまうという問題があった。
【０００５】
特許文献１には、段ボールの切断加工用刃物の構造が記載されている。
特許文献２には、段ボールカットオフ装置の構造が記載されている。
【先行技術文献】
【特許文献】
【０００６】
【特許文献１】特開２０１４−９１１９７号公報
【特許文献２】特開平６−３９７８１号公報
【考案の概要】
【考案が解決しようとする課題】
【０００７】
前記ヒゲ状屑Ｈの発生原理は、図９（ｂ）に示すように、段ボールシートの型抜き時に切断加工用刃Ｎ１と受刃Ｎ２との押圧により、中芯Ｃの山部分と谷部分との中間部分がＳ字状に潰された状態で型抜きされるとヒゲ状の中芯屑が発生する。そのため、ヒゲ状屑Ｈは、型抜きされた段ボールシートの端面であって、中芯Ｃが縦方向に現れる箇所（端面に中芯が波形状に現れない箇所）に発生することになる。
つまり、前記内フラップ側辺２０１ｂに細長いヒゲ状屑Ｈが付着し易く、内フラップ側辺２０１ｂにヒゲ状屑Ｈが付着していると、製品を箱詰めする際に該ヒゲ状屑Ｈが段ボール箱１００内の製品に紛れ込んでしまう。前記段ボール箱１００の下蓋が前記上蓋２００と同様の構造である場合には、上蓋の場合と同様にヒゲ状屑Ｈが段ボール箱１００内の製品に紛れ込んでしまうことになる。
【０００８】
前記ヒゲ状屑Ｈは、型抜きの後工程における吸引等によりその大部分が取り除かれるが、ヒゲ状屑Ｈの一部が中芯Ｃの山部分や谷部分に付着している場合があり、その際は除去できずに前記内フラップ側辺２０１ｂの端面に残ってしまうことがある。このヒゲ状屑Ｈは、通常幅１〜２ｍｍ、長さは短いものでも１０ｍｍ以上、長いものでは１００ｍｍを超える場合がある。
【０００９】
本考案は、高価な型抜き刃や型抜き装置を使用しなくてもヒゲ状屑の発生を防止し、ヒゲ状屑が製品に紛れ込むことのない段ボール箱を提供することを目的とする。
さらには、組み立てられた段ボール箱の強度を維持しながら、ヒゲ状屑の発生を防止し、ヒゲ状屑が製品に紛れ込むことのない段ボール箱を提供することを目的とする。
【課題を解決するための手段】
【００１０】
本考案は、段ボール箱の形状を工夫することによりヒゲ状屑の発生を防止し、箱内にヒゲ状屑が紛れ込むことのない段ボール箱に関する。段ボール箱内にヒゲ状屑が紛れ込む原因は、上蓋を閉じる際に、上蓋の内フラップ側辺にヒゲ状屑が付着しているためであり、内フラップ側辺のヒゲ状屑の発生を防止すれば段ボール箱内にヒゲ状屑が紛れ込む問題は解消する。なお、外フラップ側辺にヒゲ状屑が付着していても段ボール箱内にヒゲ状屑が紛れ込む問題は起こりにくい。
中芯が縦方向に型抜きされた箇所（中芯が波形に現れない箇所）にヒゲ状屑が発生するから、ヒゲ状屑の発生を防止するためには中芯を縦方向に型抜きしないことが必要である。従って、内フラップ側辺のヒゲ状屑発生を防止するには、中芯を縦方向にに型抜きしなければ内フラップ側辺をどのような形状にしてもよい。
【００１１】
そこで、内容物を収納する箱本体部の上方に上蓋が、箱本体部の下方に下蓋が、それぞれ箱本体部と連続一体に形成され、前記上蓋は、内フラップと外フラップとからなり、前記内フラップは、内フラップ上辺と、該内フラップ上辺の両端から連続する内フラップ側辺とによって囲まれた段ボール箱であって、前記内フラップ側辺の全域或いは大部分の域が、段ボールの波形状中芯の山部分と谷部分を横断する曲線、傾斜線又は曲線と傾斜線の組合せによって構成される連続線となる段ボール箱を考案した。段ボール箱の下蓋が上蓋と同様の構造である場合には、下蓋についても同様の内フラップ側辺形状にすればよい。
【００１２】
段ボール箱を組み立てた時に、内フラップ側辺先端部（上辺寄り先端部）が段ボール箱本体部内面に接触しない場合には、段ボール箱の横圧縮強度及び対角強度が弱くなり、製品を梱包した箱が潰れたり変形したりする恐れがある。製品を保護するための緩衝材等がなく、段ボール箱が収納製品を保護できる強度を維持できない場合には、内フラップを折り込んだ際に、該内フラップの側辺先端部が段ボール箱本体部内面に接触して、収納製品を保護できる横圧縮強度及び対角強度が得られる内フラップ側辺形状を考案した。
【００１３】
前記内フラップ側辺先端部が段ボール箱本体部内面に接する長さは、１〜５ｃｍ程度必要であり、好ましくは１〜２ｃｍが最適である。短過ぎると横圧縮強度及び対角強度を維持できず、長過ぎるとヒゲ状屑の発生原因となる。
段ボール箱の下蓋が上蓋と同様の構造である場合には、下蓋についても同様の内フラップ側辺形状にすればよい。
【考案の効果】
【００１４】
本考案は、段ボール箱の形状を工夫することによって、ヒゲ状屑の発生を防止し、ヒゲ状屑が箱内に収納した製品に紛れ込むことのない段ボール箱を安価に提供する。
さらには、段ボール箱の形状を工夫することによって、組み立てられた段ボール箱の強度を維持しながら、ヒゲ状屑の発生を防止し、ヒゲ状屑が製品に紛れ込むことのない段ボール箱を提供する。
【図面の簡単な説明】
【００１５】
【図１】図１は、本考案の実施形態１に係る上蓋開蓋状態の段ボール箱を示した説明図である。
【図２】図２は、本考案の実施形態２に係る上蓋開蓋状態の段ボール箱を示した説明図である。
【図３】図３は、図２の段ボール箱のＸ部を拡大した説明図である。
【図４】図４は、図２の段ボール箱の内フラップを折り込んだ状態を示した説明図である。
【図５】図５は、本考案の実施形態３に係る段ボール箱の内フラップ側辺形状を示した説明図である。
【図６】図６は、本考案の実施形態４に係る段ボール箱の内フラップ側辺形状を示した説明図である。
【図７】図７は、従来の一般的段ボール箱の上蓋開蓋状態を示した説明図である。
【図８】図８は、図７の段ボール箱のＹ部拡大説明図である。
【図９】図９は、ヒゲ状屑の発生原理図を示した説明図である。
【考案を実施するための形態】
【００１６】
以下、本考案を実施するための好適な形態について説明する。なお、以下に説明する実施形態１乃至実施形態４は、本考案の代表的な実施形態の例を示したものであり、これにより本考案の範囲が狭く解釈されることはない。
【００１７】
図１は実施形態１に係る上蓋開蓋状態の段ボール箱１の全体説明図である。該段ボール箱１は、内容物を収納する箱本体部の上方に上蓋２が箱本体部と連続一体に形成され、上蓋２には内フラップ２１と外フラップ２２とが形成されている。前記内フラップ２１は、上辺２１ａと該上辺２１ａの両端から連続する側辺２１ｂとによって囲まれている。
【００１８】
前記段ボール箱１は、上蓋２の内フラップ２１の内フラップ側辺２１ｂが段ボールの波形状中芯の山部分と谷部分を斜め直線状に内フラップ上辺２１ａに至るまで横断して型抜きされている。中芯が縦方向に型抜きされないので内フラップ側辺２１ｂにヒゲ状屑は発生しない。
【００１９】
図２は実施形態２に係る上蓋開蓋状態の段ボール箱を示した全体説明図である。図３は、図２の段ボール箱１Ａの内フラップ３１のＸ部を拡大した図である。内フラップ側辺３１ｂは、内フラップ側辺先端部３１ｂａと内フラップ側辺基端部３１ｂｂを残して湾曲状に型抜きされていて、内フラップ側辺３１ｂの大部分の域が波形状中芯の山部分と谷部分を横断した状態となっているので、内フラップ側辺３１ｂにヒゲ状屑は発生しない。
内フラップ側辺の湾曲は、内フラップの大きさや中芯の波形大きさにもよるが、長さＬ／幅Ｗの比率が５〜１０程度が好適であり、内フラップ側辺３１ｂが中芯の山部分と谷部分とを少なくとも１組横断することが好ましい。また、ヒゲ状屑を発生させず、且つ、横圧縮強度及び対角強度を維持するためには、段ボールの材質にもよるが、内フラップ側辺先端部３１ｂａの長さが１〜５ｃｍ程度必要であり、好ましくは１〜２ｃｍ程度が最適である。
【００２０】
図４は図２の段ボール箱１Ａの内フラップ３１を水平に折り込んだ状態を示した図である。この状態において、内フラップ側辺先端部３１ｂａが段ボール箱１Ａの内面に接触した状態となるため、横圧縮強度及び対角強度を維持することが可能となる。
【００２１】
図４において破線で表した実施形態１の内フラップ側辺２１ｂの場合は、該内フラップ側辺２１ｂが斜め直線状に内フラップ上辺２１ａまで型抜きされているので、内フラップ側辺先端部と段ボール箱内面との間に隙間ができ非接触状態となるため、段ボール箱１に側面又は角部から力が加えられると箱が潰れたり変形したりし易くなる。そのため、実施形態１の内フラップ側辺形状は、緩衝材等で収納物を保護できない場合には適さない。
【００２２】
図５は、本考案の実施形態３に係る内フラップ側辺４１を表した図である。該内フラップ側辺４１ｂは、内フラップ側辺先端部４１ｂａと内フラップ側辺基端部４１ｂｂを残してＶ字状に型抜きすることにより、段ボールの波形状中芯の山部分と谷部分を横断した内フラップ側辺としたもので、該内フラップ側辺４１ｂにヒゲ状屑は発生しない。実施形態３に係る内フラップ側辺４１ｂのＶ字状連続線の態様は、対称Ｖ字形でも、異なる傾斜角度を組み合わせた変形Ｖ字形でも良い。
【００２３】
図６は、本考案の実施形態４に係る内フラップ側辺５１ｂを表した図である。該内フラップ側辺５１ｂは、内フラップ側辺先端部５１Ｂａと内フラップ側辺基端部５１ｂｂと内フラップ側辺中央部５１ｂｃの３か所において段ボール箱内面と接触できる連続線として型抜きしたものである。内フラップ側辺５１ｂが段ボールの波形状中芯の山部分と谷部分を横断しているため、該内フラップ側辺５１ｂにヒゲ状屑は発生しない。
【００２４】
実施形態１乃至実施形態４の説明は主として上蓋の構造について記述しているが、下蓋は上蓋同様の構造であってもよく、ワンタッチ組み立て式等の他の構造であってもよい。
【００２５】
段ボールの材質は、紙でもプラスチックでもよく、特定の材質に限定されるものではない。また、段ボールの構造は、一組の表面ライナーと裏面ライナーとの間に波形状の中芯を配設した段ボールに限定するものではなく、ライナーと波形状中芯とが多層に構成されていていてもよい。
【００２６】
段ボールの型抜き方法は、トムソン刃を使用した型抜き方法でもロータリー刃を使用した型抜き方法でもよく、特定の型抜き方法に限定されるものではない。
【符号の説明】
【００２７】
１    段ボール箱
２    上蓋
２１，３１，４１，５１    内フラップ
２１ａ    内フラップ上辺
２１ｂ，３１ｂ，４１ｂ，５１ｂ    内フラップ側辺
３１ｂａ，４１ｂａ，５１ｂａ    内フラップ側辺先端部
２２    外フラップ
Ｈ    ヒゲ状屑
【図１】
0003193696.tif 000003
【図２】
0003193696.tif 000004
【図３】
0003193696.tif 000005
【図４】
0003193696.tif 000006
【図５】
0003193696.tif 000007
【図６】
0003193696.tif 000008
【図７】
0003193696.tif 000009
【図８】
0003193696.tif 000010
【図９】
0003193696.tif 000011